(57)【要約】 【課題】  リモートコントローラと特定の自動演奏装置との無線ＬＡＮ接続を簡単な方法で確実に行なえるようにする。【解決手段】  演奏システムにおいて、自動演奏ピアノ１は、自機に固有のＩＤ情報を有し、前記ＩＤ情報を表すＩＤ画像８を外部のモニタ装置６やプリンタ７に出力する。リモートコントローラ２には、ＩＤ画像８を読み取るための手段としてカメラ２６が具備されている。リモートコントローラ２は、前記カメラ２６により外部のモニタ装置６に表示乃至プリンタ７からプリントアウトされたＩＤ画像８を撮像することで、該撮像したＩＤ画像８に応じたＩＤ情報を取得する。リモートコントローラ２において前記取得したＩＤ情報に基づき無線ＬＡＮの設定を行なうことで、ＩＤ情報に対応する自動演奏ピアノ１とリモートコントローラ２が通信可能に無線接続される。かくして、リモートコントローラ２により特定の自動演奏ピアノ１を操作できるようになる。【選択図】  図１
2007025351.tif 000002
【特許請求の範囲】
【請求項１】
演奏装置の動作をリモートコントローラを用いて制御する演奏システムであって、
前記演奏装置は、
当該装置に固有のＩＤ情報を記憶する記憶手段と、
前記記憶手段に記憶されたＩＤ情報を外部に提示する提示手段と、
リモートコントローラから与えられる命令に基づき当該演奏装置の演奏動作を制御する制御手段と
を含み、
前記リモートコントローラは、
前記提示手段が提示するＩＤ情報を読み取る読取手段と、
前記読み取ったＩＤ情報を登録する登録手段と、
前記登録したＩＤ情報に対応する演奏装置と通信可能に接続する接続手段と、
前記接続した演奏装置に対してユーザの入力操作に応じた命令を出力する出力手段と
を含むことを特徴とする演奏システム。
【請求項２】
前記演奏装置において、前記提示手段は前記ＩＤ情報を可視的画像コードに変換する手段を更に具え、該可視的画像コードを外部に提示するものであり、
前記リモートコントローラにおける前記読取手段は、前記提示された可視的画像コードを撮像する手段と、該撮像した可視的画像コードに基づき前記ＩＤ情報を取得する手段とを含んで構成されることを特徴とする請求項１に記載の演奏システム。
【請求項３】
前記演奏装置と前記リモートコントローラは無線ＬＡＮネットワークを介して接続されることを特徴とする請求項１又は２に記載の演奏システム。
【請求項４】
前記演奏装置は、アコースティックな発音機構を具えるピアノと、該ピアノにおいて自動演奏機能を実現するための信号処理を実行する制御装置とから構成される自動演奏ピアノであることを特徴とする請求項１乃至３のいずれかに記載の演奏システム。
【発明の詳細な説明】
【技術分野】
【０００１】
この発明は、演奏装置の動作をリモートコントローラを用いて制御する演奏システムに関し、詳しくは前記演奏システムにおけるシステム設定方法の改良に関する。
【背景技術】
【０００２】
従来から、いわゆる自動演奏ピアノ、消音ピアノ、消音自動演奏ピアノ等のように、アコースティクピアノにおいてピアノ演奏の自動制御を行うピアノ（以下、これを自動演奏ピアノと総称する）が知られている。この種の自動演奏ピアノにおいて、再生すべき演奏情報に基づく楽曲再生する再生機能（自動演奏機能）や、ピアノ演奏操作（各操作子の動き）に基づき演奏情報を生成し、該生成した演奏情報を適宜の記録媒体に記録する録音機能、或いは、消音機能や自動伴奏機能等の各種自動演奏機能を実現するための信号処理は、ＤＳＰを含む制御装置（コントロールユニット）が担う。
従来から知られる自動演奏ピアノには、制御装置に対して各種命令の入力を行なうための操作インターフェースとしてリモートコントローラを装備するものがある（例えば、下記特許文献１等を参照）。
【特許文献１】特開平５−８０７５０号公報
【０００３】
また、近年では、リモートコントローラとしてＰＤＡ（Personal Digital Assistants：情報携帯端末）やタブレット等の情報端末装置を利用して、この種の情報端末を制御装置に対して無線ＬＡＮ等を介して無線接続するタイプのシステム構成が知られている。自動演奏ピアノ側（制御装置）とリモートコントローラが無線ＬＡＮで接続される演奏システムにおいては、自動演奏ピアノ側が無線ＬＡＮのアクセスポイントとなり、リモートコントローラは、自身がどのピアノ（アクセスポイント）に対して接続するかを設定することで、通信の相手となるアクセスポイントとのペアリングを行う。
リモートコントローラにおいてアクセスポイントとのペアリングを行なう方法として、従来は、例えば以下の２通りの方法が知られていた。すなわち、（１）マニュアル設定による方法と（２）自動検索プログラムによる方法とである。
周知のとおり、無線ＬＡＮのアクセスポイントと各端末では、無線ＬＡＮ接続に必要な設定情報（例えば、ＥＳＳＩＤのような無線ＬＡＮネットワークの識別子等）を設定し、この設定情報が一致する端末間においてのみ通信を行わせることができる。（１）マニュアル設定による方法では、リモートコントローラにおいて、接続すべきアクセスポイントの設定情報をユーザがマニュアル入力して、両者のペアリングを行なう。また、（２）自動検索プログラムによる方法では、リモートコントローラにおいて自動検索プログラムを実行する。自動検索プログラムは、リモートコントローラの現在の位置において最も繋がりやすいアクセスポイント（例えば、一番近くに位置するアクセスポイント等）を自動的に検索するプログラムである。リモートコントローラでは該プログラムの実行により特定された最も繋がりやすいアクセスポイントとのペアリングが行われる。
【０００４】
上記特許文献１等に開示された類の自動演奏ピアノにおいては、制御装置とリモートコントローラとは予め１対１に対応付けられていることを前提にしているため、両者のペアリング動作やそれを実現するための構成、或いは、その必要性については考慮されていなかった。
自動演奏ピアノのリモートコントローラとしてＰＤＡ（Personal Digital Assistants：情報携帯端末）やタブレット等の情報端末装置を利用する構成を考えるに、上述したの従来の各ペアリング方法では、以下に述べる不都合があった。（１）のマニュアル設定による方法では、ユーザは無線ＬＡＮ接続に必要な情報として、桁数の多い文字列をマニュアル入力する必要があった。このため入力ミス等が発生し易く、その入力作業が煩雑であった。また、（２）の自動検索プログラムによる方法では、周囲に複数のアクセスポイントが存在する場合には、希望する自動演奏ピアノに接続できるとは限らず、不確実であった。どうしても接続がうまくいかない場合には、周囲に存在する他のアクセスポイントの機器の電源を切らなければならないので、非常に手間がかかる。なお、複数のアクセスポイントが存在する場合の一例として次のような状況を挙げることができるだろう。例えば、家庭、ホテルなどの環境においては、一般的なネットワークに使用される無線ＬＡＮアクセスポイントが複数存在しうる。また、楽器店店頭や楽器ショーなど多数の自動演奏ピアノを展示している環境においては、各自動演奏ピアノ毎に複数のアクセスポイントが存在する。また、自動演奏ピアノの生産工場内においても同様に多数の自動演奏ピアノ（＝多数のアクセスポイント）が存在する。
【０００５】
【発明の開示】
【発明が解決しようとする課題】
【０００６】
この発明は、上記の点に鑑みてなされたもので、リモートコントローラと特定の演奏装置との接続を簡単な方法で確実に行なえるようにした演奏システムを提供することを目的とする。
【課題を解決するための手段】
【０００７】
この発明は、演奏装置の動作をリモートコントローラにより制御する演奏システムであって、前記演奏装置は、当該装置に固有のＩＤ情報を記憶する記憶手段と、前記記憶手段に記憶されたＩＤ情報を外部に提示する提示手段と、リモートコントローラから与えられる命令に基づき当該演奏装置の演奏動作を制御する制御手段とを含み、前記リモートコントローラは、前記提示手段が提示するＩＤ情報を読み取る読取手段と、前記読み取ったＩＤ情報を登録する登録手段と、前記登録したＩＤ情報に対応する演奏装置と通信可能に接続する接続手段と、前記接続した演奏装置に対してユーザの入力操作に応じた命令を出力する出力手段とを含むことを特徴とする演奏システムである。
【発明の効果】
【０００８】
この発明によれば、演奏装置は自機に固有のＩＤ情報を有し、提示手段により該ＩＤ情報を外部に提示する。リモートコントローラは、提示されたＩＤ情報を読取手段により読み取り、該読み取ったＩＤ情報に対応する演奏装置との間でのみ通信可能に接続される。一例として、演奏装置においてＩＤ情報は、ＱＲコード（登録商標）のような可視的画像コードの形式で外部に提示され、リモートコントローラは読取手段として具備されたカメラにより該画像コードを撮像することで、提示されたＩＤ情報を取得することができる。従って、この発明に係る演奏システムによれば、簡単な方法で確実に所望の演奏装置とリモートコントローラを接続することができるようになるという優れた効果を奏する。
【発明を実施するための最良の形態】
【０００９】
以下添付図面を参照して、この発明の一実施例について説明する。
図１は、この発明の一実施例に係る演奏システムの構成例を示す概念図である。
図１において、符号１は自動演奏ピアノ（自動演奏装置）を示す。自動演奏ピアノ１は、楽器演奏を行なうための楽器本体（アコースティックピアノ）と、該楽器本体において自動演奏機能を実現するための各種信号処理を実行する制御装置とから構成される。周知のとおり自動演奏ピアノ１において、楽器本体にはアコースティックな発音機構と該発音機構を自動的に駆動するための駆動手段とが具備されており、制御装置が実行する信号処理に基づき前記駆動手段が駆動制御されることで、自動演奏機能が実現される。符号２は自動演奏ピアノ１の制御装置を遠隔操作するためのリモートコントローラである。リモートコントローラ２としては、操作インターフェースと無線通信機能を具えた適宜の端末装置を適用することができ、例えばＰＤＡ（Personal Digital Assistants）やタブレット等を適用しうる。図１では一例としてリモートコントローラ２をＰＤＡによって構成する例を示している。この演奏システムにおいて、自動演奏ピアノ１とリモートコントローラ２とは無線ＬＡＮネットワークを介して接続され、ユーザはリモートコントローラ２を用いて自動演奏ピアノ１を遠隔操作することができる。追って詳しく説明する通り、この発明の特徴は、自動演奏ピアノ１とリモートコントローラ２との無線接続の設定を簡単な方法で確実に行なえるようにした点にある。
【００１０】
自動演奏ピアノ１において、入出力制御部（ＩＯセンター）３は当該自動演奏ピアノ１の制御装置と外部機器との間におけるデータ通信を制御する機能を担う。自動演奏ピアノ１には、無線ＬＡＮネットワークに接続するためのネットワークインターフェース（例えば無線ＬＡＮカード等）４が搭載されており、自動演奏ピアノ１では無線ＬＡＮネットワークのアクセスポイントが構築される。また、自動演奏ピアノ１には、例えばＵＳＢ規格の端子等の汎用インターフェース（図示の例ではＵＳＢ端子５ａ，外部モニタ出力端子（又はVideo-out）５ｂ）が具備されており、ＵＳＢ端子５ａを介してプリンタ７が接続され、外部モニタ出力端子（又はVideo-out）５ｂを介して外部モニタ装置６が接続されている。
自動演奏ピアノ１は当該自動演奏ピアノ１に固有のＩＤ情報を有しており、このＩＤ情報により無線ＬＡＮネットワークにおいて自機を他の装置から識別することができる。この実施例では、固有のＩＤ情報を無線ＬＡＮ接続に必要なネットワーク設定情報（例えばＥＳＳＩＤのような無線ＬＡＮネットワークの識別子やＷＥＰキー等の無線通信におけるデータ暗号化キーの情報等を含む文字列情報）によって構成するものとする。
自動演奏ピアノ１は、このＩＤ情報を例えばＱＲコード（登録商標）のような画像として表示可能な２次元コードに変換し、該変換した２次元コードをモニタ装置６やプリンタ７に出力することができる。これにより、該２次元コードに基づくＩＤ画像８をモニタ装置６に表示したり、或いは、プリンタ７から該ＩＤ画像８を印刷した印刷物をプリントアウトしたりすることで、ＩＤ画像８を外部に提示することができる。
【００１１】
一方、リモートコントローラ（ＰＤＡ）２には、無線ＬＡＮネットワークに接続するためのネットワークインターフェース（無線ＬＡＮカード）９が搭載されており、この実施例に従ってペアリングされたアクセスポイント（自動演奏ピアノ）との間でのみ、無線ＬＡＮネットワークを介して通信しうる。また、リモートコントローラ２には、一般的なＰＤＡと同様な各種操作子や、表示画面上から操作入力可能なタッチパネル表示器等に加えて、カメラ（読み取り手段）２６が具備されている。カメラ２６は、前記モニタ装置６に表示された或いはプリンタ７からプリントアウトされたＩＤ画像８を撮像するために使用される。同図においては、リモートコントローラ２の表示器において撮像されたＩＤ画像８が表示されているところが描かれている。リモートコントローラ２では、カメラ２６によって撮像したＩＤ画像（２次元コード）８をデコードすることで元のＩＤ情報（文字列情報）に復元し、このＩＤ情報に基づき無線ＬＡＮネットワークの設定を行なう（登録する）。これにより、設定に使用したＩＤ情報が一致する端末間においてのみ無線ＬＡＮを介して通信を行わせることができるようになる。従って、リモートコントローラ２を前記ＩＤ情報に対応する自動演奏ピアノ１とペアリングすることができる。
【００１２】
図２（ａ）は図１の自動演奏ピアノ（制御装置）１の電気的ハードウェア構成を、また、同図（ｂ）はリモートコントローラ２の電気的ハードウェア構成をそれぞれ示すブロック図である。（ａ）に示す通り自動演奏ピアノの制御装置は、ＣＰＵ１０、ＲＯＭ１１、ＲＡＭ１２、操作部１３、表示部１４、通信インターフェース１５を含むコンピュータによって構成されており、各装置間が通信バス１０Ｂを介して接続される。
ＣＰＵ１０は、ＲＯＭ１１或いはＲＡＭ１２に記憶にされた各種ソフトウェアプログラムを実行し、当該自動演奏ピアノの基本的な動作制御（ファイルの管理、メモリの管理、入出力の管理、表示制御、操作入力制御など）や、ユーザが指定する各種自動演奏機能（楽曲再生、演奏録音、消音機能や自動伴奏機能等）を実現するための各種動作制御を行なう。また、ＲＯＭ１１或いはＲＡＭ１２には、当該自動演奏ピアノ１に固有のＩＤ情報（例えばＥＳＳＩＤやＷＥＰキー等、ネットワークの設定に関する文字列情報）が記憶されている。
ユーザは操作部１３を用いて自動演奏ピアノ１に実行させる各機能に応じた動作モードの起動指示や、各種情報の入力等を行なうことができる。表示部１４には例えば自動演奏ピアノの動作状況や各種設定情報等が表示されてよい。当該自動演奏ピアノ１において実行する各種動作には、上記楽曲再生、演奏録音、消音機能や自動伴奏機能等の自動演奏機能関連の動作等と共に、リモートコントローラ２（図１参照）とのペアリングを行なうための動作（後述する「ペアリングモード」）が含まれる。
また、ＣＰＵ１０は通信インターフェース１５を介して接続された外部の機器との間におけるデータ通信を制御する。通信インターフェース１５には、当該自動演奏ピアノ１に対して外部モニタ装置６やプリンタ７（図１参照）等の外部機器を接続するための汎用インターフェース（例えばＵＳＢ規格の端子や外部モニタ出力端子等）及び無線ＬＡＮネットワークに接続するためのネットワークインターフェース（無線ＬＡＮカード等）が含まれる。
なお、自動演奏ピアノ１には、上記の他にも、着脱可能な記憶媒体（ＣＤ−ＲＯＭ，ＦＤ（登録商標）等）のためのドライバなどが具備されてよい。
【００１３】
また、図２（ｂ）に示す通り、リモートコントローラ２は、ＣＰＵ２０、ＲＯＭ２１、ＲＡＭ２２、操作部２３、表示部２４、通信インターフェース２５及び読み取り手段２６から構成され、各装置間が通信バス１０Ｂを介して接続される。ＣＰＵ２０は、ＲＯＭ２１或いはＲＡＭ２２に記憶にされた各種ソフトウェアプログラムを実行し、当該リモートコントローラの基本的な動作制御（ファイルの管理、メモリの管理、入出力の管理、表示制御、操作入力制御など）や、自動演奏ピアノ１を遠隔操作するための動作制御等を行なう。表示部１４には、自動演奏ピアノ１の動作制御に関する各種表示画面や、当該リモートコントローラ２の動作状況、各種データ等を表示することができる。ユーザは操作部１３を介して各種入力操作を行なうことができる。前述の通りこの実施例に係るリモートコントローラ（ＰＤＡ）２ではタッチパネル表示器上から操作入力が可能である。すなわち、前記操作部１３における操作形態は、物理操作子による操作入力と表示画面上からの操作入力とを含む。
通信インターフェース２５には無線ＬＡＮネットワークに接続するためのネットワークインターフェース（無線ＬＡＮカード等）が含まれる。リモートコントローラ２は、通信インターフェース２５を介して無線ＬＡＮネットワークに接続可能であり、該無線ＬＡＮネットワークを介して自動演奏ピアノ１と接続することができる。
読み取り手段２６は、自動演奏ピアノ１から出力されたＩＤ図像を読み取り、このＩＤ図像をリモートコントローラ２に取り込むためのものであり、この実施例では一例として、モニタ装置６に表示又はプリンタ７からプリントアウトされた図像を撮像するためのカメラ２６（図１参照）により構成されている。
【００１４】
次に、この実施例に係るリモートコントローラと自動演奏ピアノとのペアリングの方法について図３及び図４のフローチャートを参照して説明する。
図３は、自動演奏ピアノ側（アクセスポイント）での動作手順の一例を示すフローチャートであって、ペアリングモードの動作手順を示してる。ステップＳ１では、自動演奏ピアノ１の制御装置が実行すべき動作モードを調べる。ユーザによってペアリングモードが指示され、動作モードが「ペアリングモード」にセットされると（ステップＳ１のｙｅｓ）、ステップＳ２において、ＲＯＭ１１或いはＲＡＭ１２に記憶されているＩＤ情報を画像コードに変換する。画像コードは例えば「ＱＲコード（登録商標）」などであって、変換元のＩＤ情報を画像形態で表示可能なデータである。なお、ＩＤ情報を画像コードに変換する方法は、従来から周知の適宜の方法を援用して差し支えない。ステップＳ３では前記ステップＳ２で生成した画像コードを外部機器に出力する。この実施例では、モニタ装置６に画像コードを出力して、該モニタ装置６の画面上に画像コードを表示させるものとする。
一方、ステップＳ１において制御装置の動作モードがペアリングモードでない場合（ステップＳ１のｎｏ）、ステップＳ４において現在モニタ装置６に表示されている画像コードの画像を消去する処理を行なう。
【００１５】
図４は、リモートコントローラ２におけるペアリングプログラムの実行時の動作手順の一例を示している。言い換えれば、ユーザによってリモートコントローラ２側でペアリングモードが指示されると、図４の動作が開始する。
ステップＳ５においてカメラ２６を用いて画像コードの撮影が行なわれたかどうか調べる。言い換えれば、画像コードの撮影が行なわれないうち（ステップＳ５のｎｏ）はペアリングプログラムの動作は撮影待機状態にある。また、このとき、例えば、画像コードの撮影を促すメッセージ表示や警告音発生等を行なっても良い。
ユーザがリモートコントローラ２に具備されたカメラ２６を用いてモニタ装置６上に表示された画像コードを撮影すると（ステップＳ５のｙｅｓ）、ステップＳ６において前記撮影した画像コードをデコードする処理を行い、該デコードされたデータすなわち自動演奏ピアノ１のＩＤ情報（文字列）を取得することができる。なお、なお、画像コードを元の情報に変換（デコード）する方法は、従来から周知の適宜の方法を援用して差し支えない。ステップＳ７では、取得したＩＤ情報のエラーチェックを行ない、該ＩＤ情報にエラーがあれば（ステップＳ７のｎｏ）、ステップＳ８において設定エラーメッセージを表示部２４（図２参照）に表示する。
取得したＩＤ情報にエラーがなければ（ステップＳ７のｙｅｓ）、ステップＳ９において、該取得したＩＤ情報に基づきリモートコントローラ２側の無線ＬＡＮの設定を書き換える（ＩＤ情報を登録する）。前述の通り、この実施例においては、ＩＤ情報は対応する自動演奏ピアノにおける無線ＬＡＮ接続に必要な情報（例えばＥＳＳＩＤやＷＥＰキー等）により構成されている。リモートコントローラ２において前記取得したＩＤ情報に基づき無線ＬＡＮの設定を行なうことで、当該リモートコントローラ２は該ＩＤ情報に対応するアクセスポイント（自動演奏ピアノ１）との間でのみ通信できるようになる。すなわち、リモートコントローラ２と任意の自動演奏ピアノ１とのペアリングを行うことができる。そして、ステップＳ１０において、適宜のネットワーク設定の設定完了メッセージを表示部２４（図２参照）に表示して、ステップＳ１１において無線ＬＡＮを再起動する。
【００１６】
図５はリモートコントローラ２における通常の動作手順の概略を例示するフローチャートである。リモートコントローラ２では、前記図４のステップＳ９において設定した無線ＬＡＮ設定を使用して前記取得したＩＤ情報に対応するアクセスポイント（自動演奏ピアノ１）に接続する（ステップＳ２０）。ここで使用する無線ＬＡＮ設定は接続すべき自動演奏ピアノ１のＩＤ情報に基づき設定されているので、リモートコントローラ２を確実に所望の自動演奏ピアノ１に接続することができる。
ステップＳ２１において無線ＬＡＮ接続の確認を行い、正しく接続が確立していれば（ステップＳ２１のｙｅｓ）、ステップＳ２２において通常のリモートコントローラとしての動作プログラムが起動する。前記通常のリモートコントローラとしての動作プログラムは自動演奏ピアノの操作に関する各種機能を実行するアプリケーションプログラムである。
一方、無線ＬＡＮ接続が正しく行なわれない場合（ステップＳ２１のｎｏ）には、ステップＳ２３において適宜のエラーメッセージを表示部２４（図２参照）に表示する。
【００１７】
図６は前記ステップＳ２２において起動するアプリケーションプログラムの動作手順の一例を示すフローチャートである。ステップＳ２４においてアプリケーションプログラムが起動されると、ステップＳ２５においてリモートコントローラ２の表示器には自動演奏ピアノを操作するための画面が表示され、ユーザによる自動演奏ピアノ１に対するコマンドを受け付ける。例えば、リモートコントローラ２の表示器には、当該アプリケーションプログラムが提供するコマンド群を表示した画面が表示され、そこからユーザは所望のコマンドを指定できる。リモートコントローラ２において何らかのコマンドを受け付けると、ユーザの指定したコマンドが自動演奏ピアノ１に出力され、自動演奏ピアノ１では該コマンドに応じた処理を実行する（ステップＳ２６〜Ｓ２８）。図６においては、前記コマンドの一例として、自動演奏ピアノ１において再生（自動演奏）させる楽曲の選択（ステップＳ２６）、自動演奏ピアノ１における楽曲の再生開始（ステップＳ２７）、同楽曲の再生停止（ステップＳ２８）が例示されている。尚、リモートコントローラ２において指定できるコマンドは図示の例に限らない。
このようにして、リモートコントローラ２を用いた遠隔操作により、自動演奏ピアノ１の動作を制御することができる。
【００１８】
以上説明した通り、この実施例によれば、自動演奏ピアノ１に固有のＩＤ情報を画像コード化して、該画像コードを外部のモニタ装置６に表示、或いは、プリンタ７からプリントアウトすると共に、該外部のモニタ装置６に表示、或いは、プリンタ７からプリントアウトされた画像コードをリモートコントローラ２において読み取り（カメラ２６で撮像）し、該読み取った画像コードをデコードすることで自動演奏ピアノ１に固有のＩＤ情報を取得し、該取得したＩＤ情報に基づきリモートコントローラ２における無線ＬＡＮの設定を行なうことで、複数の文字列入力等の手間が掛からず、簡単且つ確実な方法で任意の自動演奏ピアノ１とリモートコントローラ２とをペアリングできるようになるという優れた効果を奏する。
【００１９】
なお、上記実施例においては、自動演奏ピアノ１とリモートコントローラ２とを無線ＬＡＮネットワークを介して接続する例について説明したが、これに限らず、ペア化された２個の端末（自動演奏ピアノ１とリモートコントローラ２）間でのみ通信を行なうことが可能な方式であれば、どのような無線接続方式であってもよい。
また、上記実施例において、自動演奏ピアノ１に固有のＩＤ情報としてＥＳＳＩＤ等のネットワーク設定に関する情報を使用する例について説明したが、固有のＩＤ情報はネットワークにおいて自動演奏ピアノ１をアイデンティファイでき、該ＩＤ情報を設定することで自動演奏ピアノ１とリモートコントローラ２とを通信可能にペアリングしうる情報でさえあれば、例えば当該装置に固有の数値情報等、どのような情報であってもよい。
また、リモートコントローラ２はＰＤＡに限らず、ユーザによる操作入力を受け付ける操作インターフェースと無線通信機能とを具えた装置であれば、タブレットやノート型パーソナルコンピュータその他適宜の通信端末装置を適用してよい。
【００２０】
また、上記実施例において、リモートコントローラ２における画像コードの読み取り手段２６としてカメラ２６を搭載する例を示したが、画像コードを読み取り手段２６はこれに限らずスキャナその他、画像を読み取ることが可能な適宜の手段で構成してよい。
また、上記実施例において、自動演奏ピアノ１のＩＤ情報を、ＱＲコード（登録商標）のような画像コードに変換する例を示したが、画像コードの形式は上記に限らず周知のどのような画像コード形式を適用してもよい。また、自動演奏ピアノ１のＩＤ情報のコード化は、表示可能な画像コードの形態に限らず、リモートコントローラにＩＤ情報を伝達可能なコード化方法であればどのような形態であってもよい。また、その出力方法も、コードをリモートコントローラ２において読み取り可能な形態で提示する方法でさえあれば、どのような方法であってもよい。例えば、画像コードとしてＩＤ情報の文字列そのものを提示して、これをリモートコントローラ２において読み取る構成としてもよい。或いは、ＩＤ情報をビットパターン化したものをアコースティックピアノの鍵盤（８８鍵）の押鍵及び非押鍵の組み合わせによって提示してもよい。すなわち、ＩＤ情報を表すビットパターンに基づき、鍵盤の各鍵を押鍵又は非押鍵状態に駆動制御することで、その鍵盤形状によりＩＤ情報を表現し、リモートコントローラ２において撮影した鍵盤形状を図形認識するよう構成してもよい。
また、ＩＤ情報のコード化は視覚的なコードに変換することに限らない。例えば、ＩＤ情報を１又は複数の音高音（音階音）の組み合わせからなる聴覚的コードに変換し、該コードに基づき楽器において楽音を発生させることで、ＩＤ情報をリモートコントローラ２に提示し、リモートコントローラ２では例えばマイクロフォン等適宜の取得手段（読み取り手段により前記発生された楽音をピックアップし、該ピックアップした楽音の音高を認識することでＩＤ情報を取得する構成にしてもよい。
【００２１】
また、この発明係る演奏システムにおいて自動演奏ピアノ１をリモートコントローラ２で遠隔操作する例について説明したが、自動演奏ピアノ１は自動演奏機能を有するアコースティックピアノに限らず、電子ピアノやその他の楽器、すなわち、コンピュータからなる制御装置により自動制御される演奏装置であればどのような楽器であっても、この発明を適用可能である。
【図面の簡単な説明】
【００２２】
【図１】この発明の一実施例に係る演奏システムの概要を示す概念図。
【図２】（ａ）は同実施例に係る自動演奏ピアノの電気的ハードウェア構成を示すブロック図であり、（ｂ）は同実施例に係るリモートコントローラの電気的ハードウェア構成を示すブロック図である。
【図３】同実施例に係る自動演奏ピアノの動作手順の一例を示すフローチャート。
【図４】同実施例に係るリモートコントローラにおけるペアリングプログラム実行時の動作手順の一例を示すフローチャート。
【図５】同実施例に係るリモートコントローラの通常時の動作手順の一例を示すフローチャート。
【図６】同実施例に係るリモートコントローラにおける自動演奏ピアノ遠隔制御用のアプリケーションプログラム実行時の動作手順の一例を示すフローチャート。
【符号の説明】
【００２３】
１  自動演奏ピアノ、２  リモートコントローラ、３  ＩＯセンター、４  無線ＬＡＮインターフェース（アクセスポイント）、５ａ  ＵＳＢ端子、５ｂ  外部モニタ出力端子、６  外部モニタ装置、７  プリンタ、８  ＩＤ画像、９  無線ＬＡＮカード、１０，２０  ＣＰＵ、１１，２１  ＲＯＭ、１２，２２  ＲＡＭ、１３，２３  操作部、１４，２４  表示部、１５、２５  通信インターフェース、２６  カメラ（読み取り手段）
【図１】
2007025351.tif 000003
【図２】
2007025351.tif 000004
【図３】
2007025351.tif 000005
【図４】
2007025351.tif 000006
【図５】
2007025351.tif 000007
【図６】
2007025351.tif 000008